(57)【特許請求の範囲】
【請求項１】
規定寸法に基づく大きさに形成された略直方体状の建物ユニットを複数組み合わせて構築されるユニット式建物に、入隅部を形成するための入隅用建物ユニットであって、
長辺寸法または短辺寸法が前記規定寸法よりも短く設定された箱形に形成されることによって内部空間を有し、他の建物ユニットとともに前記ユニット式建物の内部空間を形成するユニット本体部と、
前記ユニット本体部の前記規定寸法よりも短く設定された一辺に沿って延出することによって、該ユニット本体部との間に、直交する二つの壁面からなる入隅部が形成される延出壁部と、を備えており、
前記ユニット本体部と前記延出壁部とは、複数の柱と、これら複数の柱の上端部同士および下端部同士を結合する複数の梁とを骨組みとして一体形成されており、
前記骨組みの長辺方向および短辺方向の最大寸法が、前記規定寸法と略等しい長さに設定されていることを特徴とする入隅用建物ユニット。
【請求項２】
請求項１に記載の入隅用建物ユニットにおいて、
前記延出壁部は、前記骨組みの長辺方向または短辺方向に沿って設けられていることを特徴とする入隅用建物ユニット。
【請求項３】
請求項１または２に記載の入隅用建物ユニットにおいて、
前記骨組みの柱は、少なくとも、前記延出壁部の延出方向先端と、前記ユニット本体部周囲の複数の出隅部とに配置されていることを特徴とする入隅用建物ユニット。
【請求項４】
請求項１〜３のいずれか一項に記載の入隅用建物ユニットと、複数の前記他の建物ユニットとを組み合わせて構築されるユニット式建物であって、
前記入隅用建物ユニットと複数の前記他の建物ユニットとからなる建物本体を備えており、この建物本体のコーナーに、前記入隅用建物ユニットが配置されていることを特徴とするユニット式建物。
【請求項５】
請求項４に記載のユニット式建物において、
前記入隅用建物ユニットと、この入隅用建物ユニットに隣り合う前記他の建物ユニットとが離し置きされていることを特徴とするユニット式建物。
【請求項６】
請求項４または５に記載のユニット式建物において、
前記入隅用建物ユニットの前記入隅部に、予め付属物が設置されており、この付属物は前記骨組みに固定されていることを特徴とするユニット式建物。
【発明の詳細な説明】
【技術分野】
【０００１】
本発明は、複数の建物ユニットを組み合わせて構築されるユニット式建物の建物本体の入隅部に使用される入隅用建物ユニットと、この入隅用建物ユニットを含んで構築されるユニット式建物に関する。
【背景技術】
【０００２】
従来、複数の柱と天井梁と床梁とを箱形に接合してなる建物ユニットを組み合わせて構築されるユニット式建物において、建物本体のコーナーに、玄関ポーチ等を設けるための入隅部を形成する技術が知られている（例えば、特許文献１参照）。
特許文献１のユニット式建物においては、長辺寸法の短い一方の建物ユニットと、長辺寸法の長い他方の建物ユニットとを短辺方向に隣接させることによって、直交する二つの壁面からなる入隅部が形成されている。つまり、入隅部を形成する二つの壁面のうち一方は、長辺寸法の短い建物ユニットの長辺方向側端面に該当し、他方は、長辺寸法の長い建物ユニットの長辺方向一側端部の側面に該当する。
そして、入隅部を形成する一方の壁面や他方の壁面のそれぞれには、予め、玄関ドアやドア周囲の外壁等の付属物を取り付けておくことができ、付属物が取り付けられた状態で輸送できるようになっている。また、両方の建物ユニットを隣接させることにより入隅部を形成するので、現場では、例えば玄関ポーチ屋根やバルコニー等の重量のある付属物を、入隅部を形成する両方の建物ユニットに対して強固に固定することが可能となる。
【０００３】
また、近年、建物ユニット同士を離し置きし、これら建物ユニット間に、建物ユニット同士を連結する梁やパネル等の連結部材を配置するユニット式建物が知られている（例えば、特許文献２参照）。
【先行技術文献】
【特許文献】
【０００４】
【特許文献１】特開２０１０−１５９５８１号公報
【特許文献２】特開２０１０−０８４４８９号公報
【発明の概要】
【発明が解決しようとする課題】
【０００５】
ところで、特許文献１のように、長辺寸法の短い一方の建物ユニットと、長辺寸法の長い他方の建物ユニットとを短辺方向に隣接させて入隅部を形成する方法では、入隅部を形成するために、長辺寸法の異なる二つの建物ユニットが必要となる。
したがって、現場で、重量のある付属物を入隅部に固定する場合には、必ず両方の建物ユニットを設置して入隅部を形成してから付属物の取付作業をしなければならないし、必ず、入隅部のどちらか一方の壁面に付属物の取付作業を施さなければならない。このため、長辺寸法の異なる二つの建物ユニットによって入隅部を形成すると、付属物の取付作業に手間がかかる場合がある。
【０００６】
さらに、特許文献１のように、長辺寸法の異なる二つの建物ユニットによって入隅部を形成する方法を、特許文献２のユニット式建物に適用すると、両方の建物ユニットは離し置きされ、長辺寸法の長い他方の建物ユニットによって構成される入隅部の他方の壁面が、一方の壁面から離間して配置されることになる。
そして、このように両方の建物ユニットが離し置きされた状態でも、各種付属物を、入隅部の従来通りの位置に強固に固定したい場合には、入隅部の他方の壁面を新たに形成するための補助的な柱梁構造等の設置が必要となる。しかし、このような補助的な柱梁構造等を設置するためには、当然、その分のコストや手間がかかってしまう場合がある。
そこで、建物ユニット同士が離し置きされて構築されるユニット式建物にも、建物ユニット同士を離し置きせずに組み合わせて構築されるユニット式建物にも適用でき、単体で、様々な付属物を強固に設置固定できる入隅部を形成することが可能な建物ユニットの開発が望まれていた。
【０００７】
本発明の課題は、様々な付属物を強固に設置固定できる入隅部を形成でき、付属物の取り付けに係るコストや手間を省略することが可能な入隅用建物ユニットと、この入隅用建物ユニットを含んで構築されるユニット式建物とを提供することを目的とする。
【課題を解決するための手段】
【０００８】
請求項１に記載の発明は、例えば図１〜図９に示すように、規定寸法Ｌ１ａ，Ｌ２ａに基づく大きさに形成された略直方体状の建物ユニット２，１０を複数組み合わせて構築されるユニット式建物に、入隅部１３を形成するための入隅用建物ユニット１０であって、
長辺寸法または短辺寸法が前記規定寸法Ｌ１ａ，Ｌ２ａよりも短く設定された箱形に形成されることによって内部空間１１ａを有し、他の建物ユニット２とともに前記ユニット式建物の内部空間を形成するユニット本体部１１と、
前記ユニット本体部１１の前記規定寸法Ｌ１ａ，Ｌ２ａよりも短く設定された一辺に沿って延出することによって、該ユニット本体部１１との間に、直交する二つの壁面１３ａ，１３ｂからなる入隅部１３が形成される延出壁部１２と、を備えており、
前記ユニット本体部１１と前記延出壁部１２とは、複数の柱２１…（３１…）と、これら複数の柱２１…（３１…）の上端部同士および下端部同士を結合する複数の梁２２…，２４…（３２…，３４…）とを骨組み２０（３０）として一体形成されており、
前記骨組み２０（３０）の長辺方向および短辺方向の最大寸法Ｌ１ｂ，Ｌ２ｂが、前記規定寸法Ｌ１ａ，Ｌ２ａと略等しい長さに設定されていることを特徴とする。
【０００９】
請求項１に記載の発明によれば、前記ユニット本体部１１と前記延出壁部１２とは、前記複数の柱２１…（３１…）と、前記複数の梁２２…，２４…（３２…，３４…）とを骨組み２０（３０）として一体形成され、前記延出壁部１２と前記ユニット本体部１１との間には前記入隅部１３が形成されているので、一つの入隅用建物ユニット１０に対して前記入隅部１３を予め形成しておくことができる。
これによって、前記入隅部１３を形成する前記二つの壁面１３ａ，１３ｂに、予め、例えばバルコニー１４等の重量のある付属物を設置し、前記骨組み２０（３０）に対して強固に固定することができる。また、前記二つの壁面１３ａ，１３ｂのいずれか一方だけに付属物（例えば玄関ドア１６等）を設置し、前記骨組み２０（３０）に対して強固に固定することができる。
さらに、一つの入隅用建物ユニット１０に対して前記入隅部１３が予め形成された状態となっているので、ユニット式建物を構築する際に、建物ユニット２，１０が離し置きされているか否かに関わらず、前記ユニット式建物のコーナーに入隅部１３を形成することができる。
したがって、例えば長辺寸法の異なる二つの建物ユニットで入隅部を形成する場合や、補助的な柱梁構造を採用して入隅部を形成する場合に比して、付属物を前記入隅部１３に設置するためのコストや手間を省略することができる。
【００１０】
請求項２に記載の発明は、例えば図１〜図９に示すように、請求項１に記載の入隅用建物ユニット１０において、
前記延出壁部１２は、前記骨組み２０（３０）の長辺方向または短辺方向に沿って設けられていることを特徴とする。
【００１１】
請求項２に記載の発明によれば、前記延出壁部１２が、前記骨組み２０（３０）の長辺方向に沿って設けられる場合は、入隅用建物ユニット１０を、前記ユニット本体部１１の長辺寸法を短く設定した形態とすることができる。また、前記延出壁部１２が、前記骨組み２０（３０）の短辺方向に沿って設けられる場合は、入隅用建物ユニット１０を、前記ユニット本体部１１の短辺寸法を短く設定した形態とすることができる。
これによって、様々な形態の入隅用建物ユニット１０を形成できるので、様々な形態の入隅部１３を前記ユニット式建物のコーナーに形成することができる。
【００１２】
請求項３に記載の発明は、例えば図１〜図５に示すように、請求項１または２に記載の入隅用建物ユニット１０において、
前記骨組み２０（３０）の柱２１…（３１…）は、少なくとも、前記延出壁部１２の延出方向先端と、前記ユニット本体部１１周囲の複数の出隅部１１ｂ…とに配置されていることを特徴とする。
【００１３】
請求項３に記載の発明によれば、前記骨組み２０（３０）の柱２１…（３１…）は、少なくとも、前記延出壁部１２の延出方向先端と、前記ユニット本体部１１周囲の複数の出隅部１１ｂ…とに配置されているので、入隅用建物ユニット１０の外周のうち出っ張った箇所に前記複数の柱２１…（３１…）を配置することができる。
これによって、例えば四隅に柱を配置する状態に近づけることができるので、入隅用建物ユニット１０自体の強度を高めるだけでなく、上部に他の建物ユニット２（１０）を積層させたり、前記入隅部１３に付属物を取り付けたりする際に、これら建物ユニット２（１０）や付属物等を確実に支持することができる。
【００１４】
請求項４に記載の発明は、例えば図６〜図９に示すように、請求項１〜３のいずれか一項に記載の入隅用建物ユニット１０と、複数の前記他の建物ユニット２…（１０）とを組み合わせて構築されるユニット式建物であって、
前記入隅用建物ユニット１０と複数の前記他の建物ユニット２…（１０）とからなる建物本体１Ａ（１Ｂ，１Ｃ）を備えており、この建物本体１Ａ（１Ｂ，１Ｃ）のコーナーに、前記入隅用建物ユニット１０が配置されていることを特徴とする。
【００１５】
請求項４に記載の発明によれば、前記入隅用建物ユニット１０を、前記建物本体１Ａ（１Ｂ，１Ｃ）のコーナーに配置するだけで、この建物本体１Ａ（１Ｂ，１Ｃ）のコーナーに前記入隅部１３を形成することができる。
これによって、例えば長辺寸法の異なる二つの建物ユニットで入隅部を形成する場合や、補助的な柱梁構造を採用して入隅部を形成する場合に比して、付属物を前記入隅部１３に設置するためのコストや手間を省略できるとともに、前記建物本体１Ａ（１Ｂ，１Ｃ）のコーナーに前記入隅部１３を容易に形成することができる。
【００１６】
請求項５に記載の発明は、例えば図７および図９（ｂ）に示すように、請求項４に記載のユニット式建物において、
前記入隅用建物ユニット１０と、この入隅用建物ユニット１０に隣り合う前記他の建物ユニット１０（２）とが離し置きされていることを特徴とする。
【００１７】
請求項５に記載の発明によれば、前記入隅用建物ユニット１０は前記入隅部１３が予め形成された状態となっているので、前記入隅用建物ユニット１０と、この入隅用建物ユニット１０に隣り合う前記他の建物ユニット１０（２）とが離し置きされていても、前記建物本体１Ｂのコーナーに前記入隅部１３を確実に形成することができる。
また、使用する前記建物ユニット２，１０の数を少なくすることができるので、ユニット式建物の構築にかかるコストを低減させることができる。
【００１８】
請求項６に記載の発明は、例えば図１，図２，図６〜図９に示すように、請求項４または５に記載のユニット式建物において、
前記入隅用建物ユニット１０の前記入隅部１３に、予め付属物１４，１５，１６が設置されており、この付属物１４，１５，１６は前記骨組み２０（３０）に固定されていることを特徴とする。
【００１９】
請求項６に記載の発明によれば、前記入隅用建物ユニット１０の前記入隅部１３に、予め付属物１４，１５，１６が設置されており、この付属物１４，１５，１６は前記骨組み２０（３０）に固定されているので、前記付属物１４，１５，１６を前記骨組み２０（３０）に固定した状態で輸送したり、現場で施工したりすることができる。
【発明の効果】
【００２０】
本発明によれば、一つの入隅用建物ユニットに対して入隅部を予め形成しておくことができる。これによって、入隅部を形成する二つの壁面に、予め、例えばバルコニー等の重量のある付属物を設置し、骨組みに対して強固に固定することができる。また、二つの壁面のいずれか一方だけにも付属物を設置し、骨組みに対して強固に固定することができる。さらに、一つの入隅用建物ユニットに対して入隅部が予め形成された状態となっているので、ユニット式建物を構築する際に、建物ユニットが離し置きされているか否かに関わらず、ユニット式建物のコーナーに入隅部を形成することができる。したがって、従来に比して、付属物を入隅部に取り付けるためのコストや手間を省略することができる。
【図面の簡単な説明】
【００２１】
【図１】入隅用建物ユニットであり、入隅部の二つの壁面にバルコニーを設置した状態を示す斜視図である。図中の二股矢印は、長辺方向および短辺方向を示す。
【図２】入隅用建物ユニットであり、入隅部の一つの壁面に玄関ドアを設置した状態を示す斜視図である。
【図３】骨組みの一例を示す斜視図である。
【図４】骨組みの他の一例を示す斜視図である。
【図５】骨組みの他の一例を示す斜視図である。
【図６】ユニット式建物の建物本体の一例を示す平面図である。
【図７】ユニット式建物の建物本体の他の一例を示す平面図である。
【図８】ユニット式建物の建物本体の他の一例を示す平面図である。
【図９】（ａ）は入隅用建物ユニットを用いない従来型の建物本体を示す平面図であり、（ｂ）は入隅用建物ユニットを用いた建物本体を示す平面図である。
【発明を実施するための形態】
【００２２】
以下、図面を参照して本発明の実施の形態について説明する。
図１，図２は本発明に係る入隅用建物ユニット１０の一例を示す斜視図である。この入隅用建物ユニット１０は、図６〜図９に示すような、規定寸法Ｌ１ａ，Ｌ２ａに基づく大きさに形成された略直方体状の建物ユニット２，１０を複数組み合わせて構築されるユニット式建物の建物本体１Ａ，１Ｂ，１Ｃ，１Ｄｂに、入隅部１３を形成するためのものである。
【００２３】
なお、前記規定寸法Ｌ１ａは、前記建物ユニット２，１０の骨組みの長辺方向の長さ、すなわち長辺寸法を指しており、規定寸法Ｌ２ａは、前記建物ユニット２，１０の骨組みの短辺方向の長さ、すなわち短辺寸法を指している。
つまり、この規定寸法Ｌ１ａ，Ｌ２ａは、前記入隅用建物ユニット１０と前記他の建物ユニット２とが、同一の規格に基づいて設計・製造されたものであることを示すものである。そして、このように前記入隅用建物ユニット１０は、前記他の建物ユニット２と同一の規格で形成されているため、前記他の建物ユニット２と同じように前記ユニット式建物に対して確実に組み込めるようになっている。延いては、前記ユニット式建物全体が、前記規定寸法Ｌ１ａ，Ｌ２ａを定義する前記規格（モジュール）に基づいて設計・構築される。
【００２４】
前記入隅用建物ユニット１０は、ユニット本体部１１と、延出壁部１２と、を備える。
前記ユニット本体部１１は、箱形に形成されることによって内部空間１１ａを有し、他の建物ユニット２とともに前記ユニット式建物の内部空間を形成するものである。すなわち、前記ユニット本体部１１の内部には、居室等の部屋が設けられることになる。
前記延出壁部１２は、前記ユニット本体部１１から、前記ユニット本体部１１の一辺に沿って延出するようにして設けられている。
前記延出壁部１２と前記ユニット本体部１１との間には、直交する二つの壁面１３ａ，１３ｂからなる入隅部１３が形成される。また、前記入隅部１３を構成する一方の壁面１３ａは、前記延出壁部１２の入隅部１３側面であり、他方の壁面１３ｂは、前記ユニット本体部１１の入隅部１３側面である。
【００２５】
また、前記ユニット本体部１１と前記延出壁部１２とは、図１〜図４に示すように、複数の柱２１…と、これら複数の柱２１…の上端部同士および下端部同士を結合する複数の梁２２…，２４…とを骨組み２０として一体形成されている。
さらに、前記骨組み２０の長辺方向および短辺方向の最大寸法Ｌ１ｂ，Ｌ２ｂは、前記規定寸法Ｌ１ａ，Ｌ２ａと略等しい長さに設定されている。
【００２６】
また、本実施の形態の延出壁部１２は、図１〜図４に示すように、前記骨組み２０の長辺方向に沿って設けられている。
このように前記延出壁部１２が、前記骨組み２０の長辺方向に沿って設けられる場合は、前記入隅用建物ユニット１０を、前記ユニット本体部１１の長辺寸法を短く設定した形態とすることができる。
さらに、前記入隅部１３を形成する他方の壁面１３ｂを、前記骨組み２０の長辺方向のどの位置に配置するかによって、設計段階で、前記延出壁部１２の延出長さ変更調整できることになる。
【００２７】
前記骨組み２０は、より詳細には、図３，図４に示すように、前記複数の柱２１…と、前記複数の柱２１…の上端部同士を結合する天井梁２２と、前記複数の柱２１…の下端部同士を結合する床梁２４と、を備える。
また、前記柱２１の上端部と前記天井梁２２、および、前記柱２１の下端部と前記床梁２４は、柱梁接合部材２６ａ，２６ｂ，２６ｃによって接合されている。
前記柱梁接合部材２６ａは、２方向から梁の端部が接合されるものであり、前記柱梁接合部材２６ｂは、１方向から梁の端部が接合されるものであり、前記柱梁接合部材２６ｃは、３方向から梁の端部が接合されるものである。
なお、本実施の形態においては前記柱梁接合部材２６ａ，２６ｂ，２６ｃを用いるが、これに限られるものではなく、他の接合部材を用いてもよいし、前記柱２１と前記梁２２，２４とを直接、溶接等によって接合してもよいものとする。
【００２８】
前記複数の柱２１…は、少なくとも、前記延出壁部１２の延出方向先端と、前記ユニット本体部１１周囲の複数の出隅部１１ｂ…とに配置されている。つまり、前記複数の柱２１…は、前記入隅用建物ユニット１０の外周のうち出っ張った箇所に配置されることになる。
これによって、例えば略直方体状に形成された建物ユニット２の場合は、四隅に柱が配置されることになるが、前記骨組み２０も、前記複数の柱２１…を四隅に柱を配置した状態に近づけることができる。したがって、前記入隅用建物ユニット１０自体の強度を高めるだけでなく、上部に他の建物ユニット２（１０）を積層させたり、前記入隅部１３に付属物を取り付けたりする際に、これら建物ユニット２（１０）や付属物等を確実に支持することができる。
なお、前記柱２１の位置は、前記延出壁部１２の延出方向先端と、前記ユニット本体部１１周囲の複数の出隅部１１ｂ…だけでなく、必要な箇所に適宜配置される。例えば付属物を前記入隅部に設置する際に、付属物を固定するための柱が必要であれば、適宜追加してもよいものとする。
【００２９】
前記天井梁２２は、前記骨組み２０の長辺方向に配置される長辺天井梁２２ａ，２２ａと、前記骨組み２０の短辺方向に配置される短辺天井梁２２ｂ，２２ｂとを有する。
また、前記一方の長辺天井梁２２ａと前記他方の長辺天井梁２２ａとの間には、複数の天井小梁２３…が、前記骨組み２０の長辺方向に間隔をあけて架設されている。なお、これら複数の天井小梁２３…の下面には、図示しない天井板が固定される。
【００３０】
前記床梁２４は、前記骨組み２０の長辺方向に配置される長辺床梁２４ａ，２４ａと、前記骨組み２０の短辺方向に配置される短辺床梁２４ｂ，２４ｂとを有する。
また、前記一方の長辺床梁２４ａと前記他方の長辺床梁２４ａとの間には、複数の根太２５…が、前記骨組み２０の長辺方向に間隔をあけて架設されている。なお、これら複数の根太２５…の上面には、図示しない床板が固定される。
【００３１】
また、図示はしないが、前記骨組み２０のうち、前記ユニット式建物の外周面を構成する外側面には、ＰＡＬＣ（プレキャストオートクレーブド軽量気泡コンクリート）等の外壁材が取り付けられており、前記ユニット式建物の内部空間を構成する内側面には、石膏ボード等の内装材が取り付けられている。
【００３２】
なお、図３に示す骨組み２０と、図４に示す骨組み２０との相違点について説明する。
図３に示す骨組み２０は、前記一方の長辺天井梁２２ａおよび前記一方の長辺床梁２４ａが、前記他方の長辺天井梁２２ａおよび前記他方の長辺床梁２４ａよりも長尺に形成されている。
また、前記入隅部１３側に位置する前記一方の短辺天井梁２２ｂおよび前記一方の短辺床梁２４ｂは、前記一方の長辺天井梁２２ａおよび前記一方の長辺床梁２４ａの中央付近において、該一方の長辺天井梁２２ａおよび一方の長辺床梁２４ａと直交する方向に配置されている。
さらに、前記一方の短辺天井梁２２ｂの端部と前記一方の長辺天井梁２２ａとは、略Ｌ型に形成されたＬ型接合部材２７によって接合されている。なお、このＬ型接合部材２７は、前記一方の短辺天井梁２２ｂの両側面側に設けられているものとする。前記一方の短辺床梁２４ｂの端部と前記一方の長辺床梁２４ａも同じく、Ｌ型接合部材２７によって接合されている。
【００３３】
一方、図４に示す骨組み２０は、前記骨組み２０の長辺方向に配置される双方の長辺天井梁２２ａ，２２ａの長さが略等しく、前記骨組み２０の長辺方向に配置される双方の長辺床梁２４ａ，２４ａの長さも略等しくなるように形成されている。
そして、前記一方の長辺天井梁２２ａの延長線上には、前記延出壁部１２を形成するための延長梁２２ｃが設けられている。なお、前記一方の長辺天井梁２２ａと、前記延長梁２２ｃと、前記入隅部１３側に位置する一方の短辺天井梁２２ｂと、これら各梁２２ａ，２２ｂ，２２ｃの下方に配置される柱２１とが、前記柱梁接合部材２６ｃによって接合されている。
また、前記延出壁部１２の延出方向先端に配置される柱２１と、前記一方の長辺床梁２４ａとの間には、上方に配置された前記延長梁２２ｃに対応する梁が設けられておらず、空隙になっている。
【００３４】
つまり、図３に示す骨組み２０と、図４に示す骨組み２０とには、前記骨組み２０のうち、前記延出壁部１２が形成される側の柱梁架構Ｋ１，Ｋ２に相違点がある。すなわち、この部位の柱梁架構は、本発明の趣旨を逸脱しない範囲で適宜変更可能である。
例えば、図２に示す玄関ドア１６のように、その取付位置を下方に下げる必要がある場合には、図４に示すような前記柱梁架構Ｋ２を備えた骨組み２０を採用すれば良い。
【００３５】
ここで、図５は、本実施の形態の骨組み２０とは異なる形態の骨組み３０を示す斜視図である。この骨組み３０によって構成される入隅用建物ユニット１０においては、前記延出壁部１２は、前記骨組み３０の短辺方向に沿って設けられている。
このように前記延出壁部１２が、前記骨組み３０の短辺方向に沿って設けられる場合は、前記入隅用建物ユニット１０を、前記ユニット本体部１１の短辺寸法を短く設定した形態とすることができる。
さらに、前記骨組み２０と同様に、前記入隅部１３を形成する他方の壁面１３ｂを、前記骨組み３０の短辺方向のどの位置に配置するかによって、設計段階で、前記延出壁部１２の延出長さ変更調整できることになる。ただし、その調整範囲は、前記骨組み２０の長辺方向に沿って調整する場合に比して短いものとされている。
【００３６】
また、前記骨組み３０も、前記骨組み２０と略同様の要素によって構成されており、複数の柱３１…と、長辺天井梁３２ａ，３２ａおよび短辺天井梁３２ｂ，３２ｂを有する天井梁３２と、長辺床梁３４ａ，３４ａおよび短辺床梁３４ｂ，３４ｂとを有する床梁３４と、を備える。
さらに、前記一方の長辺天井梁３２ａと前記他方の長辺天井梁３２ａとの間には、複数の天井小梁３３…が架設されており、前記一方の長辺床梁３４ａと前記他方の長辺床梁３４ａとの間には、複数の根太３５…が架設されている。
また、前記柱３１の上端部と前記天井梁３２、および、前記柱３１の下端部と前記床梁３４は、柱梁接合部材３６ａ，３６ｂによって接合されている。
また、前記一方の長辺天井梁３２ａの端部と前記一方の短辺天井梁３２ｂ、および、前記一方の長辺床梁３４ａの端部と前記一方の短辺床梁３４ｂは、略Ｌ型に形成されたＬ型接合部材２７によって接合されている。
【００３７】
本実施の形態の入隅用建物ユニット１０によれば、前記ユニット本体部１１と前記延出壁部１２とは、前記複数の柱２１…と、前記複数の梁２２…，２４…とを骨組み２０として一体形成され、前記延出壁部１２と前記ユニット本体部１１との間には前記入隅部１３が形成されているので、該一つの入隅用建物ユニット１０に対して前記入隅部１３を予め形成しておくことができる。
これによって、前記入隅部１３を形成する前記二つの壁面１３ａ，１３ｂに、予め、重量のある付属物を設置し、前記骨組み２０に対して強固に固定することができる。また、前記二つの壁面１３ａ，１３ｂのいずれか一方だけに付属物を設置し、前記骨組み２０に対して強固に固定することができる。
さらに、該一つの入隅用建物ユニット１０に対して前記入隅部１３が予め形成された状態となっているので、ユニット式建物を構築する際に、建物ユニット２，１０が離し置きされているか否かに関わらず、前記ユニット式建物のコーナーに入隅部１３を形成することができる。
したがって、例えば長辺寸法の異なる二つの建物ユニットで入隅部を形成する場合や、補助的な柱梁構造を採用して入隅部を形成する場合に比して、付属物を前記入隅部１３に設置するためのコストや手間を省略することができる。
【００３８】
次に、前記入隅用建物ユニット１０と、複数の前記他の建物ユニット２…（１０）とを組み合わせて構築されるユニット式建物について説明する。
【００３９】
本実施の形態のユニット式建物は、前記入隅用建物ユニット１０と、複数の前記他の建物ユニット２…とからなる建物本体１Ａを備えており、図６に示すように、この建物本体１Ａのコーナーに、前記入隅用建物ユニット１０が配置されている。
図６は、前記ユニット式建物の所定階における前記建物本体１Ａの平面図であり、平面視において５つの建物ユニット２…と、１つの入隅用建物ユニット１０とが用いられている。
【００４０】
前記５つの建物ユニット２…のうち、３つの建物ユニット２，２，２は、互いの短辺方向に隣接して配置されており、これら３つの建物ユニット２，２，２の長辺方向に隣接して、２つの建物ユニット２，２と１つの入隅用建物ユニット１０とが配置されている。
また、前記２つの建物ユニット２，２は、互いの短辺方向に隣接して配置されており、前記１つの入隅用建物ユニット１０は、前記延出壁部１２が前記２つの建物ユニット２，２側に位置するようにして、前記２つの建物ユニット２，２の一方に隣接して配置されている。
これによって、前記建物本体１Ａのコーナーに前記入隅部１３を形成することが可能となる。
【００４１】
なお、前記ユニット式建物は、前記建物本体１Ａを備えるものとしたが、これに限られるものではなく、例えば、図７および図８に示すような、他の形態の建物本体１Ｂ，１Ｃを採用してもよいものとする。
【００４２】
図７に示す建物本体１Ｂは、平面視において２つの建物ユニット２，２と、２つの入隅用建物ユニット１０，１０とが用いられて構築されている。２つの入隅用建物ユニット１０，１０は、左右対称に形成されたものである。
前記２つの建物ユニット２，２は、互いの短辺方向に間隔をあけて隣り合うようにして配置されている。すなわち、これら２つの建物ユニット２，２は離し置きされている。さらに、前記２つの入隅用建物ユニット１０，１０も、互いの短辺方向に間隔をあけて隣り合うようにして配置され、離し置きされている。
すなわち、前記建物本体１Ｂは、中央に間隙が形成されており、この間隙を介して一方に、長辺方向に隣接する１つの他の建物ユニット２および１つの入隅用建物ユニット１０が配置され、他方に、長辺方向に隣接する１つの他の建物ユニット２および１つの入隅用建物ユニット１０が配置されている。
【００４３】
前記間隙を挟んで隣り合う各建物ユニット２，２および各入隅用建物ユニット１０，１０は、梁やパネル等の連結部材によって連結される。
なお、図７において二点鎖線によって囲まれた領域は、前記連結部材を設けるための連結領域３とされており、前記間隙の位置に相当している。
また、図示はしないが、前記連結領域３の上方には、前記間隙を挟んで隣り合う各建物ユニット２，２間および各入隅用建物ユニット１０，１０間に跨るようにして上階の建物ユニットを設置してもよいものとする。
【００４４】
以上のような建物本体１Ｂによれば、前記入隅用建物ユニット１０は前記入隅部１３が予め形成された状態となっているので、前記入隅用建物ユニット１０と、この入隅用建物ユニット１０に隣り合う前記入隅用建物ユニット１０とが離し置きされていても、コーナーに前記入隅部１３を確実に形成することができる。
また、使用する建物ユニット２，１０の数を少なくすることができるので、ユニット式建物の構築にかかるコストを低減させることができる。
【００４５】
図８に示す建物本体１Ｃは、前記入隅用建物ユニット１０が、前記延出壁部１２とは反対側の側面が、前記他の建物ユニット２側に位置するようにして隣接配置されている。
これによって、前記建物本体１Ｃには、前記入隅用建物ユニット１０によって形成される前記入隅部１３と、前記入隅用建物ユニット１０と前記隣接する他の建物ユニット２との間に形成される入隅部４ａとの、２つの入隅を有する凹部４が形成されることとなる。したがって、前記入隅用建物ユニット１０の設置位置次第で、前記建物本体１Ａとは異なる形態の建物本体１Ｂを備えたユニット式建物を構築することができる。
【００４６】
以上のように、いずれの建物本体１Ａ，１Ｂ，１Ｃであっても、前記入隅用建物ユニット１０を用いて前記入隅部１３を簡単に形成することができる。
【００４７】
なお、図９（ａ）に示す建物本体１Ｄａは、平面視において３つの建物ユニット２…と、これら３つの建物ユニット２…とは長さの異なる１つの建物ユニット２ａとが用いられて構築されている。また、この建物本体１Ｄａは、短辺方向に隣り合う建物ユニット同士が間隔をあけて配置されている。すなわち、離し置きされている。
この建物本体１Ｄａの場合、入隅部は、長辺寸法の異なる建物ユニット２，２ａによって形成されることになるが、これら建物ユニット２，２ａが離し置きされているため、その分、入隅部の長さＬ３ａが長くなってしまう場合がある。
これに対して、本発明の入隅用建物ユニット１０を用いる場合は、図９（ｂ）に示すように、離し置き形式で建物本体１Ｄｂを形成しても、入隅部１３の一辺（壁面１３ｂ）の長さＬ３ｂが、必要以上に長くなることを抑制できる。
なお、図９（ａ），（ｂ）において二点鎖線によって囲まれた領域は、梁やパネル等の連結部材を設けるための連結領域３とされており、前記建物ユニット間２，１０（２，２ａ）の間隙の位置に相当している。
【００４８】
なお、本実施の形態において、前記入隅用建物ユニット１０の前記入隅部１３には、外壁材を始め、その他の付属物を予め工場等で設置しておいてもよいものとする。この場合、付属物は前記骨組み２０に対して固定されている。
なお、前記付属物としては、例えば図１および図２に示すように、バルコニー１４や、窓１５および窓枠１５ａ、玄関ドア１６およびドア枠１６ａ、図示しない庇・玄関ポーチ屋根等が挙げられる。
これにより、前記付属物１４，１５，１６を前記骨組み２０に固定した状態で輸送したり、現場で施工したりすることができる。
【００４９】
なお、前記バルコニー１４は、手摺壁１４ａと、図示しないバルコニー床とを備えており、これら手摺壁１４ａとバルコニー床は、前記入隅部１３の一方の壁面１３ａと他方の壁面１３ｂに当接するとともに前記骨組み２０に対して固定された状態となっている。
前記窓１５は、前記建物本体１Ａの内部空間とバルコニー１４との間の行き来を可能とする掃出し窓であり、前記窓枠１５ａを備える。この窓枠１５ａは、前記延出壁部１２側に設置されるとともに前記骨組み２０に対して固定された状態となっている。
前記玄関ドア１６は、前記ドア枠１６ａを備えており、このドア枠１６ａは、前記延出壁部１２側に設置されるとともに前記骨組み２０に対して固定された状態となっている。
【００５０】
本実施の形態のユニット式建物によれば、前記入隅用建物ユニット１０を、前記建物本体１Ａ，１Ｂ，１Ｃ，１Ｄｂのコーナーに配置するだけで、この建物本体１Ａ，１Ｂ，１Ｃ，１Ｄｂのコーナーに前記入隅部１３を形成することができる。
これによって、例えば長辺寸法の異なる二つの建物ユニットで入隅部を形成する場合や、補助的な柱梁構造を採用して入隅部を形成する場合に比して、前記バルコニー１４等の付属物を前記入隅部１３に設置するためのコストや手間を省略できるとともに、前記建物本体１Ａ，１Ｂ，１Ｃ，１Ｄｂのコーナーに前記入隅部１３を容易に形成することができる。
【符号の説明】
【００５１】
１Ａ〜１Ｄｂ  建物本体
２  建物ユニット
１０  入隅用建物ユニット
１１  ユニット本体部
１１ａ  内部空間
１２  延出壁部
１３  入隅部
２０（３０）  骨組み
２１（３１）  柱
２２（３２）  天井梁
２４（３４）  床梁
Ｌ１ａ  長辺寸法
Ｌ１ｂ  長辺方向の最大寸法
Ｌ２ａ  短辺寸法
Ｌ２ｂ  短辺方向の最大寸法
Ｌ３ａ  入隅部の一辺の長さ（従来型）
Ｌ３ｂ  入隅部の一辺の長さ（壁面１３ｂ）
【図１】
0005778616.tif 000002
【図２】
0005778616.tif 000003
【図３】
0005778616.tif 000004
【図４】
0005778616.tif 000005
【図５】
0005778616.tif 000006
【図６】
0005778616.tif 000007
【図７】
0005778616.tif 000008
【図８】
0005778616.tif 000009
【図９】
0005778616.tif 000010